(57)【要約】【課題】この発明は、既設の収納ボックスの種類に拘わらず新規の乗り場信号器具を収納ボックスに簡易に取り付けることができるエレベータの乗り場信号器具取付装置を得る。【解決手段】収納ボックス６の両側壁面に相対して対となって配置されるＬ字取付座金１０と、Ｌ字取付座金１０の対間に配置されて伸長され、Ｌ字取付座金１０の対を収納ボックス６の両側壁面に押圧固定するばね式伸縮ポール１５と、固定用ビス３０を固定用ねじ挿入穴２３に通してＬ字取付座金１０の固定用ねじ穴１１に締着して収納ボックス６を塞口するように取り付けられる鋼板製のアダプタ２０と、アダプタ２０に取り付けられ、デジタルインジケータ１が装着される樹脂製薄形ボックス２５とを備えている。【選択図】        図２
2004244172.tif 000002
【特許請求の範囲】
【請求項１】
乗り場に設けられている収納ボックスに取り付けられている乗り場信号器具を新規の乗り場信号器具に交換する際に用いられるエレベータの乗り場信号器具取付装置であって、
固定用ねじ穴が形成された一方の辺を上記収納ボックスの開口に位置させて該収納ボックスの両側壁面に相対して対となって配置され、かつ、上下方向に離間して少なくとも２対配置されるＬ字取付座金と、
伸縮可能に構成され、上記収納ボックスの両側壁面に相対して配置される上記Ｌ字取付座金の対間に配置され、伸長させて該Ｌ字取付座金の対を該収納ボックスの両側壁面に押圧固定する伸縮ポールと、
上記収納ボックスを塞口する長方形の平板状をなし、固定用ねじ挿入穴および配線孔が形成され、固定用ねじを該固定用ねじ挿入穴に通して上記Ｌ字取付座金の上記固定用ねじ穴に締着して該収納ボックスを塞口するように取り付けられる鋼板製のアダプタと、
上記新規の乗り場信号器具が装着可能に構成され、上記アダプタに取り付けられる樹脂製薄形ボックスとを備えていることを特徴とするエレベータの乗り場信号器具取付装置。
【請求項２】
上記固定用ねじ挿入穴は、穴の長手方向を上記アダプタの短辺長さ方向に一致させた長穴に形成され、該アダプタの長辺長さ方向に所定ピッチで並設されていることを特徴とする請求項１記載のエレベータの乗り場信号器具取付装置。
【請求項３】
スタッドが立設された補強板が上記アダプタの表面の上端部および下端部にそれぞれ配設され、スタッド挿入穴が上記樹脂製薄形ボックスの上記スタッドに対応する位置に穿設されており、上記樹脂製薄形ボックスが、上記スタッドを上記スタッド挿入穴に通し、該スタッド挿入穴からの該スタッドの延出部にナットを締着して上記アダプタに取り付けられることを特徴とする請求項１又は請求項２記載のエレベータの乗り場信号器具取付装置。
【請求項４】
上記伸縮ポールは、一側外周に雄ねじ部が形成された固定部材と、内周に形成された雌ねじ部を上記雄ねじ部に螺合させて上記固定部材に進退自在に装着された有底円筒状の可動部材と、上記可動部材の外周部に設けられたナット部と、上記可動部材内に縮設状態に収納されたばねとから構成されていることを特徴とする請求項１乃至請求項３のいずれか１項に記載のエレベータの乗り場信号器具取付装置。
【請求項５】
ゴムパッドが上記Ｌ字取付座金の他方の辺の外周壁面に配設されていることを特徴とする請求項１乃至請求項４のいずれか１項に記載のエレベータの乗り場信号器具取付装置。
【発明の詳細な説明】
【０００１】
【発明の属する技術分野】
この発明は、エレベータ改修工事において、新たな乗り場信号器具を既設の収納ボックスに取り付けるための乗り場信号器具取付装置に関するものである。
【０００２】
【従来の技術】
エレベータ改修工事において、旧式の乗り場信号器具を最新の乗り場信号器具に取り替える場合がある。この改修工事において、旧式の乗り場信号器具を含めた既設の収納ボックスを最新の乗り場信号器具を備えた収納ボックスに交換すると、乗り場壁の削り（はつり）や再仕上げ等の建築工事が発生してしまい、改修工事費用が高くなるとともに、収納ボックスの交換作業に伴う振動や騒音が発生し、ビル居住者に迷惑をかけるという不具合があった。
【０００３】
この不具合を解消するために、従来の乗り場信号器具取付装置では、乗り場信号器具が装着されるとともに、この乗り場信号器具の上端部および下端部を拘束可能な枠体と、乗り場信号器具の上端部および下端部を枠体の上端面および下端面のそれぞれ固定する第２の固定用ビスとを備えていた（例えば、特許文献１参照）。
【０００４】
この従来の乗り場信号器具取付装置を用いて既設の乗り場信号器具を新規な乗り場信号器具に交換する場合には、まず第１の固定用ビスを緩めて既設の乗り場信号器具を既設の収納ボックスから取り外し、既設の収納ボックスの取付座金に形成されているビス孔に対応するように第１の固定用ビス挿入用の孔を枠体に形成する。そして、第１の固定用ビスにより、枠体を収納ボックスに取り付ける。ついで、新規の乗り場信号器具を枠体に装着させ、第２の固定用ビスにより、乗り場信号器具の上端部および下端部を枠体の上端面および下端面に固定する。
【０００５】
【特許文献１】
特開２０００−２８９９４６号公報（段落００１２、図１）
【０００６】
【発明が解決しようとする課題】
この従来の乗り場信号器具取付装置では、既設の収納ボックスの取付座金に形成されているビス孔に対応する第１の固定用ビス挿入用の孔を現地で枠体に形成しなければならず、孔あけに伴う振動や騒音が発生するとともに、取付時間が長くなるという問題があった。また、正確な孔あけに失敗すれば、枠体を無駄にしてしまうという問題もあった。
また、既設の乗り場信号器具の取付座金の位置や、取付座金に形成されているビス孔の位置を予め把握し、その取付座金に適合する枠体を用意することで、現場での枠体への孔あけ作業をなくすことができるが、既設の乗り場信号器具のタイプ毎に、枠体を設計し直す必要があり、枠体の種類が多くなるという問題があった。
さらに、意匠性の観点から乗り場信号器具の表示部前面からビスをなくした乗り場信号器具の場合には、枠体の構造を大幅に変更しなければならないという問題があった。
【０００７】
この発明は、乗り場信号器具が装着可能に構成され、かつ、既設の収納ボックスの取付座金を利用することなく収納ボックスに固定できる構成とし、既設の収納ボックスの種類に拘わらず新規の乗り場信号器具を収納ボックスに簡易に取り付けることができるエレベータの乗り場信号器具取付装置を得ることを目的とする。
【０００８】
【課題を解決するための手段】
この発明に係るエレベータの乗り場信号器具取付装置は、乗り場に設けられている収納ボックスに取り付けられている乗り場信号器具を新規の乗り場信号器具に交換する際に用いられるエレベータの乗り場信号器具取付装置であって、固定用ねじ穴が形成された一方の辺を上記収納ボックスの開口に位置させて該収納ボックスの両側壁面に相対して対となって配置され、かつ、上下方向に離間して少なくとも２対配置されるＬ字取付座金と、伸縮可能に構成され、上記収納ボックスの両側壁面に相対して配置される上記Ｌ字取付座金の対間に配置され、伸長させて該Ｌ字取付座金の対を該収納ボックスの両側壁面に押圧固定する伸縮ポールと、上記収納ボックスを塞口する長方形の平板状をなし、固定用ねじ挿入穴および配線孔が形成され、固定用ねじを該固定用ねじ挿入穴に通して上記Ｌ字取付座金の上記固定用ねじ穴に締着して該収納ボックスを塞口するように取り付けられる鋼板製のアダプタと、上記新規の乗り場信号器具が装着可能に構成され、上記アダプタに取り付けられる樹脂製薄形ボックスとを備えているものである。
【０００９】
【発明の実施の形態】
以下、この発明の実施の形態を図について説明する。
図１はこの発明の実施の形態に係る乗り場信号器具取付装置を用いた乗り場信号器具の取付状態を説明する図であり、図１の（ａ）はその正面図、図１の（ｂ）はその断面図、図１の（ｃ）はその上面図、図１の（ｄ）はその下面図である。図２はこの発明の実施の形態に係る乗り場信号器具取付装置を用いた乗り場信号器具の取付構造を説明する分解斜視図、図３はこの発明の実施の形態に係る乗り場信号器具取付装置に適用されるバネ式伸縮ポールを示す斜視図である。
【００１０】
各図において、新規の乗り場信号器具としてのデジタルインジケータ１は、乗りかごの階床位置をデジタル表示する表示部２および乗りかごの呼び釦３が表面に配設され、電気部品４が裏面側に配設されている。そして、配線コード５が電器部品４に接続されている。
収納ボックス６は、乗り場の壁部７に設けられており、固定用ねじ穴８ａが形成された取付座金８が収納ボックス６の上壁面および下壁面に配設されている。
【００１１】
この乗り場信号器具取付装置は、収納ボックス６の両側壁面に相対するように対となって配置されるＬ字取付座金１０と、Ｌ字取付座金１０の対を収納ボックス６の両側壁面に押圧固定するばね式伸縮ポール１５と、Ｌ字取付座金１０に固定されて収納ボックス６を塞口するように取り付けられる鋼板製のアダプタ２０と、このアダプタ２０に取り付けられる樹脂製薄形ボックス２５とを備えている。そして、デジタルインジケータ１がこの樹脂製薄形ボックス２５に装着できるようになっている。
【００１２】
Ｌ字取付座金１０は、鋼板をＬ字状に成形して作製され、固定用ねじ穴１１が一方の辺に形成され、ゴムパッド１２が他方の辺の外周壁面に接着固定されている。また、ざぐり１３が他方の辺の内周壁面に凹設されている。
ばね式伸縮ポール１５は、一側外周に雄ねじ部１６ａが形成された円筒状の固定部材１６と、雄ねじ部１６ａに螺合可能な雌ねじ部１７ａが少なくとも開口側内周に形成され、ナット部としての六角ナット１７ｂが開口端部外周に形成された有底円筒状の可動部材１７と、可動部材１７内に縮設状態に収納されるばね１８とから構成されている。そして、ばね１８を内部に収納した可動部材１７の雌ねじ部１７ａを固定部材１６の雄ねじ部１６ａに螺合させて、ばね式伸縮ポール１５が組み立てられる。このように構成されたばね式伸縮ポール１５は、可動部材１７を一方向に回転すれば伸長し、逆方向に回転すれば収縮する。そして、ばね１８が固定部材１６の先端面と可動部材１７の内底面との間に収縮状態に収納されており、可動部材１７を固定部材１６に対して伸長する方向に付勢している。
【００１３】
アダプタ２０は、長方形の鋼板の長辺を折り返して断面コ字状に形成されている。そして、配線孔２１がアダプタ２０の中央に穿設され、補強板２２がアダプタ２０の表面の上端部、下端部および配線孔２１の上下にそれぞれ固着されている。また、固定用ねじ挿入穴２３が、アダプタ２０の短辺長さ方向の両側に、アダプタ２０の長辺長さ方向に所定ピッチで多数形成されている。この固定用ねじ挿入穴２３は、穴長手方向をアダプタ２０の短辺長手方向に一致させた長穴である。さらに、スタッド２４が、アダプタ２０の上端部および下端部に固着された補強板２２に立設されている。
【００１４】
樹脂製薄形ボックス２５は、表面側を開口とする箱形に形成され、配線孔２６が中央部に穿設され、スタッド挿入穴２７がスタッド２４に対応する位置に穿設され、さらに取付穴２８が上辺および下辺の中央部に穿設されている。また、デジタルインジケータ１の上端部および下端部が裏面側に折り返され、取付ねじ穴２９が取付穴２８に対応するように各折り返し辺の中央部に形成されている。
【００１５】
つぎに、この乗り場信号器具取付装置を用いて例えば既設のアナログインジケータをデジタルインジケータ１に交換する場合について説明する。
一般に、アナログインジケータは、図示していないが、裏面に設けられている電器部品や配線コードを収納ボックス６内に納めるようにして、固定用ビスを用いてＬ字取付座金８の固定用ねじ穴８ａに締着固定して収納ボックス６に取り付けられている。
そこで、固定用ビスを取り外し、既設のアナログインジケータを収納ボックス６から取り外す。
【００１６】
ついで、一対のＬ字取付座金１０がＬ字取付座金８を避けて収納ボックス６の両側壁面の下端側に宛われ、長さ調整されたばね式伸縮ポール１５を一対のＬ字取付座金１０間に位置させる。そして、可動部材１７を回転させつつ可動部材１７を伸長させる。この時、固定部材１６の端部が一方のＬ字取付座金１０の他方の辺のざぐり１３内に納められ、可動部材１６の端部が他方のＬ字取付座金１０の他方の辺のざぐり１３内に納められる。また、各Ｌ字取付座金１０の一方の辺は収納ボックス６の開口縁部と同一面位置となっている。
そして、六角ナット１７ｂを利用して可動部材１７をさらに回転させて、一対のＬ字取付座金１０を収納ボックス６の両側壁面に押圧する。これにより、ばね１８の付勢力が固定部材１６および可動部材１７を介して一対のＬ字取付座金１０を収納ボックス６の両側壁面に押し付けるように作用し、一対のＬ字取付座金１０が収納ボックス６の両側壁面間に押圧固定される。この時、ゴムパッド１２がＬ字取付座金１０の他方の辺と収納ボックス６の側壁面との間に挟持されている。
同様にして、もう一対のＬ字取付座金１０が、先に設置された一対のＬ字取付座金１０に対して上方向に所定距離離して収納ボックス６の両側壁面の上端側に設置される。
【００１７】
ついで、アダプタ２０が収納ボックス６を塞口するように配置される。そして、アダプタ２０の固定用ねじ挿入穴２３が各Ｌ字取付座金１０の固定用ねじ穴１１に一致するようにアダプタ２０の位置が調整される。そこで、固定用ねじとしての固定用ビス３０を各固定用ねじ挿入穴２３に通し、各Ｌ字取付座金１０の固定用ねじ穴１１に締着固定する。これにより、アダプタ２０がＬ字取付座金１０を介して収納ボックス６に取り付けられる。
ついで、樹脂製薄形ボックス２５がアダプタ２０にかぶせられる。そして、スタッド挿入穴２７から延出するスタッド２４にナット３１を締着固定する。これにより、樹脂製薄形ボックス２５がアダプタ２０に取り付けられる。
そして、配線コード５が配線孔２１、２６から引き出され、デジタルインジケータ１の電気部品４に接続される。ついで、電器部品４および配線コード５を樹脂製薄形ボックス２５内に納めつつ、デジタルインジケータ１を樹脂製薄形ボックス２５に嵌め込み、固定用ビス３２を取付穴２８に通して取付ねじ穴２９に締着固定する。これにより、デジタルインジケータ１が樹脂製薄形ボックス２５に取り付けられ、既設のアナログインジケータから新規のデジタルインジケータ１への交換作業が完了する。
【００１８】
このように、この発明によれば、Ｌ字取付座金１０が対となって収納ボックス６の両側壁面間にばね式伸縮ポール１５により押圧固定されるようになっているので、既設の収納ボックス６に設けられているＬ字取付座金８を用いることなく収納ボックス６を利用して既設のアナログインジケータを新規のデジタルインジケータ１に取り替えることができる。
従って、現地にて、固定用ねじ穴を形成する必要がなくなるので、穴あけに伴う振動や騒音の発生がなく、取付時間が短縮される。また、正確な穴あけに失敗して、部品を無駄にするようなことも防止される。
また、既設の乗り場信号器具のタイプに拘わらず対応できるので、既設の収納ボックス６におけるＬ字取付座金８の位置やＬ字取付座金８における固定用ねじ穴８ａの位置を予め把握する必要もなく、交換作業が簡素化されるとともに、汎用性に優れた取付装置が得られる。
【００１９】
また、新規のデジタルインジケータ１が樹脂製薄形ボックス２５に装着されるようになっているので、デジタルインジケータ１に合わせた取付構造に樹脂製薄形ボックス２５を設計できる。そこで、意匠性の観点から表示部前面からビスをなくしたデジタルインジケータに対しても簡易に対応できる。
【００２０】
また、Ｌ字取付座金１０の対がばね式伸縮ポール１５により収納ボックス６の両側壁面に押圧固定されているので、４つのＬ字取付座金１０の固定用ねじ穴１１の一部が固定用ねじ挿入穴２３に対してずれても、ばね式伸縮ポール１５の押圧力を緩めて収納ボックス６に対するＬ字取付座金１０の固定位置を微調整でき、位置ずれを簡易に解消できる。
また、ばね１８が固定部材１６の先端面と可動部材１７の内底面との間に縮設されているので、ばね１８の付勢力がＬ字取付座金１０を収納ボックス６の側壁面に押圧するように作用し、押圧力の緩みが抑制され、Ｌ字取付座金１０の押圧固定状態を確実に保持することができる。
【００２１】
また、Ｌ字取付座金１０の他方の辺の内周面にざぐり１３が形成されているので、固定部材１６および可動部材１７の端部がざぐり１３に嵌合し、Ｌ字取付座金１０とばね式伸縮ポール１５との位置ずれが防止される。
また、ゴムパッド１２がＬ字取付座金１０の他方の辺の外周面に接着されているので、Ｌ字取付座金１０が押圧固定された際に、ゴムパッド１２がＬ字取付座金１０と収納ボックス６との間に挟持され、Ｌ字取付座金１０の位置ずれが確実に防止される。
【００２２】
また、固定用ねじ挿入穴２３が、穴長手方向をアダプタ２０の短辺長手方向に一致する長穴に形成されているので、収納ボックス６のタイプによりＬ字取付座金１０の対間の距離が変わっても、アダプタ２０をＬ字取付座金１０に取り付けることができる。また、固定用ねじ挿入穴２３が、アダプタ２０の長辺長手方向に所定ピッチで多数形成されているので、収納ボックス６に対するＬ字取付座金１０の押圧固定位置に拘わらず、アダプタ２０をＬ字取付座金１０に取り付けることができる。
また、Ｌ字取付座金１０の固定用ねじ穴１１を既設の取付座金８の固定用ねじ穴８ａと同じにすれば、既設のアナログインジケータを取り付けていた固定用ビスの有効利用ができる。
【００２３】
また、補強板２２がアダプタ２０の表面に取り付けられているので、アダプタ２０の機械的強度が高められる。さらに、樹脂製薄形ボックス２５をアダプタ２０に取り付けた際に、樹脂製薄形ボックス２５の裏面と固定用ビス３０との間に隙間ができ、樹脂製薄形ボックス２５をアダプタ２０に強固に取り付けることができる。
また、スタッド２４が補強板２２に立設され、スタッド挿入穴２７がスタッド２４の対応するように樹脂製薄形ボックス２５に設けられているので、スタッド２４をスタッド挿入穴２７に通すように樹脂製薄形ボックス２５をアダプタ２０にセットし、ナット３１をスタッド２４に締着するだけで樹脂製薄形ボックス２５をアダプタ２０に取り付けることができ、樹脂製薄形ボックス２５の取付性が向上する。
【００２４】
なお、上記実施の形態では、Ｌ字取付座金１０の対を収納ボックス６の上端側と下端側とに押圧固定するものとしているが、収納ボックス６に押圧固定されるＬ字取付座金１０の対は２対に限定されるものではなく、３対でも、４対でもよい。
また、上記実施の形態では、固定部材１６が円筒状に形成されているものとしているが、固定部材１６は円筒状に形成される必要はなく、円柱状に形成されていてもよい。また、固定部材１６の他端側は、雄ねじ部１６ａが形成されていない場合には断面円形である必要はなく、例えば断面四角形に形成されてもよい。この場合、ざぐり１３の形状を固定部材の他端部の形状に合わせることになる。
【００２５】
【発明の効果】
この発明は、以上説明したように、乗り場に設けられている収納ボックスに取り付けられている乗り場信号器具を新規の乗り場信号器具に交換する際に用いられるエレベータの乗り場信号器具取付装置であって、固定用ねじ穴が形成された一方の辺を上記収納ボックスの開口に位置させて該収納ボックスの両側壁面に相対して対となって配置され、かつ、上下方向に離間して少なくとも２対配置されるＬ字取付座金と、伸縮可能に構成され、上記収納ボックスの両側壁面に相対して配置される上記Ｌ字取付座金の対間に配置され、伸長させて該Ｌ字取付座金の対を該収納ボックスの両側壁面に押圧固定する伸縮ポールと、上記収納ボックスを塞口する長方形の平板状をなし、固定用ねじ挿入穴および配線孔が形成され、固定用ねじを該固定用ねじ挿入穴に通して上記Ｌ字取付座金の上記固定用ねじ穴に締着して該収納ボックスを塞口するように取り付けられる鋼板製のアダプタと、上記新規の乗り場信号器具が装着可能に構成され、上記アダプタに取り付けられる樹脂製薄形ボックスとを備えているので、現地にて固定用ねじ穴を形成する作業がなく、既設の収納ボックスを利用して、既設の乗り場信号器具を新規の乗り場信号器具に簡易に交換できるエレベータの乗り場信号器具取付装置が得られる。
【図面の簡単な説明】
【図１】この発明の実施の形態に係る乗り場信号器具取付装置を用いた乗り場信号器具の取付状態を説明する図である。
【図２】この発明の実施の形態に係る乗り場信号器具取付装置を用いた乗り場信号器具の取付構造を説明する分解斜視図である。
【図３】この発明の実施の形態に係る乗り場信号器具取付装置に適用されるバネ式伸縮ポールを示す斜視図である。
【符号の説明】
１  デジタルインジケータ（新規な乗り場信号器具）、６  収納ボックス、７乗り場、１０  Ｌ字取付座金、１１  固定用ねじ穴、１２  ゴムパッド、１５ばね式伸縮ポール、１６  固定部材、１６ａ  雄ねじ部、１７  可動部材、１７ａ  雌ねじ部、１７ｂ  六角ナット（ナット部）、１８  ばね、２０  アダプタ、２１  配線孔、２２  補強板、２３  固定用ねじ挿入穴、２４  スタッド、２５  樹脂製薄形ボックス、２７  スタッド挿入穴、３０  固定用ビス（固定用ねじ）。
【図１】
2004244172.tif 000003
【図２】
2004244172.tif 000004
【図３】
2004244172.tif 000005